(57)【要約】【課題】この発明は、簡易な構成により、位置が異なる様々な通帳上の磁気ストライプを読み取ることができるプリンタ装置及びプリント方法を提供する。【解決手段】プリンタ本体１に所定幅を有するように形成された取込み口２へ印刷対象物Ｓを案内するガイド板３と、取込み口２の外側に位置するガイド板３に配置されて該取込み口２を通過する印刷対象物Ｓ上の識別データＤを読み取るヘッド部４と、プリンタ本体１の取込み口２に沿ってヘッド部４を移動自在に支持する位置決め機構６と、を有する。【選択図】図１
2019087028.tif 000002
【特許請求の範囲】
【請求項１】
プリンタ本体に所定幅を有するように形成された取込み口へ印刷対象物を案内するガイド板と、
前記取込み口の外側に位置する前記ガイド板に配置されて該取込み口を通過する印刷対象物上の識別データを読み取るヘッド部と、
前記プリンタ本体の取込み口に沿って前記ヘッド部を移動自在に支持する位置決め機構と、を有することを特徴とするプリンタ装置。
【請求項２】
前記印刷対象物は、前記識別データとなる磁気ストライプを外側面に有する通帳であり、
前記ヘッド部は、前記磁気ストライプ内に記憶された識別データを読み取る磁気ヘッドであることを特徴とする請求項１に記載のプリンタ装置。
【請求項３】
前記ヘッド部は、前記取込み口に沿うように前記ガイド板上に形成された収納溝に脱着自在なペン型部材に設けられ、
前記位置決め機構は、前記ペン型部材の本体上に長さ方向に沿うように形成された溝部を有し、該溝部に沿うように前記ヘッド部がスライド自在に設けられることを特徴とする請求項１又は２のいずれか１項に記載のプリンタ装置。
【請求項４】
前記位置決め機構は、前記取込み口に沿うように前記ガイド板上に設置された溝部を有し、該溝部に沿うように前記ヘッド部を支持するヘッド支持部材がスライド自在に設けられることを特徴とする請求項１又は２のいずれか１項に記載のプリンタ装置。
【請求項５】
前記溝部内の空き空間には、印刷対象物上の識別データを読み取る第２ヘッド部を先端部に有する読取りペンが、脱着自在に設けられていることを特徴とする請求項４に記載のプリンタ装置。
【請求項６】
前記位置決め機構は、前記取込み口に沿うように前記ガイド板の溝部内に間隔をおいて設置された複数の凹部を有し、該凹部に前記ヘッド部が選択的に設置されることを特徴とする請求項１又は２のいずれか１項に記載のプリンタ装置。
【請求項７】
前記プリンタ本体には、前記取込み口を通じて印刷対象物を内部に取り込む搬送ローラと、該搬送ローラの駆動を制御する駆動制御部と、が設けられており、
前記駆動制御部は、前記ヘッド部が印刷対象物上の識別データを読み取った場合に前記搬送ローラにより印刷対象物を記帳位置に案内し、また、前記ヘッド部が印刷対象物上の識別データを読み取りに失敗した場合に警告信号を出力することを特徴とする請求項１〜６のいずれか１項に記載のプリンタ装置。
【請求項８】
前記駆動制御部は、前記警告信号に基づき作業者に対して警告ランプ、警告音声等による警告報知を行うことを特徴とする請求項７に記載のプリンタ装置。
【請求項９】
プリンタ本体の取込み口に沿うように、該取込み口の外側に位置するヘッド部を手動操作により移動させる位置決め段階と、
前記位置決め段階の後、前記プリンタ本体の取込み口へ印刷対象物を案内して該印刷対象物上の識別データを読み取らせる識別データ読取段階と、
前記識別データ読取段階で読み取った識別データに基づき、前記印刷対象物に対して該識別データに対応した印字処理を行わせる印字段階と、を有することを特徴とするプリント方法。
【発明の詳細な説明】
【技術分野】
【０００１】
本発明は、通帳上の磁気情報に基づき取引結果を印字するプリンタ装置及びプリント方法に関する。
【背景技術】
【０００２】
銀行等の金融機関で使用される通帳は、専用のプリンタ装置にて印字処理がなされる。
一般的な通帳プリンタ装置では、装置本体内に内蔵された磁気ヘッドにより、通帳上に貼付された磁気ストライプ内の磁気情報を読み取った後、該磁気情報に係る取引結果を上位コンピュータから読み出して該通帳内の所定位置に記帳する。
【０００３】
また、通帳上に貼付される磁気ストライプは、ユーザである金融機関毎に位置が異なるのが一般的である。このため、通帳プリンタでは、通帳上の異なる位置にある様々な磁気ストライプに対応したものが提供されている。
【０００４】
例えば、特許文献１に示される通帳プリンタでは、磁気ストライプの位置が異なる通帳に応じて、モータ駆動により磁気ヘッドの位置を適宜移動させ、これにより磁気ストライプの位置が異なる複数種の通帳を取り扱うことができるとの構成が示される。
【０００５】
特許文献２に示される通帳取り扱い装置では、通帳上の磁気ストライプの形状及び位置を検出する位置検出手段と、該位置検出手段の検出結果に基づいて磁気ストライプの種類を判定する種類判定手段と、磁気ヘッドを各磁気ストライプ読み取り位置に移動する磁気ヘッド移動機構と、を設けるとの構成が示される。
【０００６】
特許文献３に示されるプリンタ装置では、プリンタヘッドと同一の機構部に実装されかつ磁気ストライプの読込み及び書込みを行うＭＳＲ／Ｗ（Magnetic Stripe Read／Write）ヘッドと、このＭＳＲ／Ｗヘッドの位置を任意の位置へ移動させる移動機構と、を有するとの構成が示される。
【先行技術文献】
【特許文献】
【０００７】
【特許文献１】特開平０２−０１６０７０号公報
【特許文献２】特開平０５−０８９６１８号公報
【特許文献３】特開２００２−２３０６２６号公報
【発明の概要】
【発明が解決しようとする課題】
【０００８】
しかしながら、上記特許文献１〜３に示されるプリンタ装置では、いずれも通帳上の磁気ストライプを読み取るための磁気ヘッドが、装置本体の内部空間に設置された駆動機構により移動される構成であるので、装置全体が大掛かりかつ複雑となり、ユーザが使用場所へ携帯して利用するには不向きであるという問題を有していた。
【０００９】
この発明は、上述した事情に鑑みてなされたものであって、簡易な構成により、位置が異なる様々な通帳上の磁気ストライプを読み取ることができるプリンタ装置及びプリント方法を提供するものである。
【課題を解決するための手段】
【００１０】
上記課題を解決するために、この発明は以下の手段を提案している。
本発明の第1態様に示されるプリンタ装置では、プリンタ本体に所定幅を有するように形成された取込み口へ印刷対象物を案内するガイド板と、前記取込み口の外側に位置する前記ガイド板に配置されて該取込み口を通過する印刷対象物上の識別データを読み取るヘッド部と、前記プリンタ本体の取込み口に沿って前記ヘッド部を移動自在に支持する位置決め機構と、を有することを特徴とする。
【００１１】
本発明の第２態様に示されるプリンタ方法では、プリンタ本体の取込み口に沿うように、該取込み口の外側に位置するヘッド部を手動操作により移動させる位置決め段階と、前記位置決め段階の後、前記プリンタ本体の取込み口へ印刷対象物を案内して該印刷対象物上の識別データを読み取らせる識別データ読取段階と、前記識別データ読取段階で読み取った識別データに基づき、前記印刷対象物に対して該識別データに対応した印字処理を行わせる印字段階と、を有することを特徴とする。
【発明の効果】
【００１２】
本発明によれば、位置が異なる様々な通帳上の磁気ストライプを読み取ることが可能となる。
【図面の簡単な説明】
【００１３】
【図１】本発明に係るプリンタ装置を示す概略構成図である。
【図２】本発明の第１実施形態に係るプリンタ装置を示す概略構成図である。
【図３】図１のプリンタ装置にてヘッド部をスライドさせた場合の図である。
【図４】図１のプリンタ装置からペン型部材を取り外した状態を示す図である。
【図５】図４で外したペン型部材で、通帳の磁気ストライプを読み取る場合の図である。
【図６】印刷対象物上の磁気ストライプの設置パターン（６種）を示す図である。
【図７】本発明の第２実施形態に係るプリンタ装置を示す概略構成図である。
【図８】図７の位置決め機構を具体的に示す断面図である。
【図９】（Ａ）は磁気ヘッド部を支持するヘッド支持部材とスライドレールとの位置関係を示す斜視図、（Ｂ）は図Ａの変形例を示す図である。
【図１０】プリンタ装置を駆動するための制御フローを示す図である。
【図１１】第２実施形態の他の形態を示す断面図である。
【発明を実施するための形態】
【００１４】
本発明に係るプリンタ装置１００について、図１を参照して説明する。
図１において符号１で示すものは、印刷対象物Ｓ（例えば、通帳）に印刷を行うためのプリンタ本体であって、その内部には、図示しない印字部が設けられている。
また、このプリンタ本体１の前面には、所定幅を有する印刷対象物Ｓの取込み口２が設けられている。この取込み口２には、該取込み口２を通じて印刷対象物Ｓをプリンタ本体１内の印字部に案内するためのガイド板３が設置されている。
【００１５】
取込み口２の外側に位置するガイド板３には、該取込み口２を通過する印刷対象物Ｓ上の識別データＤを読み取るヘッド部４が設置されている。なお、この識別データＤは例えば印刷対象物Ｓ上に位置するデータエリア５（例えば、磁気ストライプ）内に記憶されている。
このヘッド部４は、位置決め機構６により、プリンタ本体１の取込み口２の幅方向（矢印ａ１−ａ２方向）に沿って移動自在に支持される。このときのヘッド部４の移動は、作業者の手動操作により行われる。
【００１６】
そして、以上のようなプリンタ装置１００では、位置決め段階、識別データ読取段階、印字段階といった段階を経て印刷対象物Ｓへの印刷処理がなされる。
まず、位置決め段階にて、プリンタ本体１１の取込み口１２に沿うように、手動操作により、該取込み口１２の外側に位置する磁気ヘッド部１４を移動させる。このときのヘッド部１４の移動は、使用者が目視しながら手指で操作しながら、印刷対象物Ｓ上のデータエリア５に対応して行う。尚、磁気ヘッド部１４によるデータの読み取りは、データエリア５の移動を伴うが、この移動には、プリンタ本体１内に設けられた搬送ローラ（図示しないが、例えば印刷対象物Ｓを挟んで機内に取り込む一対のローラ）により行われる。
【００１７】
次に、識別データ読取段階にて、プリンタ本体１１の取込み口１２へ印刷対象物Ｓを案内して該印刷対象物Ｓ上の識別データＤを読み取らせる。
次に、印字段階にて、識別データ読取段階で読み取った識別データＤに基づき、プリンタ本体１１において、識別データＤに対応した印刷対象物Ｓへの印字処理を行わせる。
【００１８】
そして、以上のように構成された本発明のプリンタ装置１００では、プリンタ本体１に形成された所定幅の取込み口２の外側に、該取込み口２を通過する印刷対象物Ｓ上の識別データＤを読み取るヘッド部４を設けたので、該ヘッド部４により読み取られた識別データＤに基づき、印刷対象物Ｓに対して該識別データＤに対応した印字処理を行うことができる。
【００１９】
また、本発明のプリンタ装置１００では、プリンタ本体１の取込み口２の外側位置にてヘッド部４が移動自在に支持される構成であるので、作業者が、印刷対象物Ｓ上の識別データＤに対してヘッド部４を手動で位置合わせすることが可能である。
すなわち、本発明のプリンタ装置１００では、取込み口２の外側に位置するヘッド部４と、手動操作により該ヘッド部４を移動自在に支持する位置決め機構６という簡易な構成により、位置が異なる様々な印刷対象物Ｓ上の識別データＤを読み取ることができる。
【００２０】
本発明の第１実施形態に係るプリンタ装置１０１について、図２〜図６を参照して説明する。
図２〜図５において符号１１で示すものは、印刷対象物Ｓ（例えば、通帳１０）に印刷を行うためのプリンタ本体であって、その内部には、図示しない印字部が設けられている。
また、このプリンタ本体１１の前面には、矢印ａ１−ａ２方向に所定幅を有する印刷対象物Ｓの取込み口１２が設けられている。この取込み口１２には、該取込み口１２を通じて印刷対象物Ｓを矢印ｂ１−ｂ２方向に挿入可能で、かつ該印刷対象物Ｓをプリンタ本体１１内の印字部に案内するためのガイド板１３が設置されている。
【００２１】
なお、このガイド板１３には基準縁部１３Ａが設けられており、この基準縁部１３Ａに沿って印刷対象物Ｓが矢印ｂ１−ｂ２方向に案内される。
また、本例では、取込み口１２の設置方向である矢印ａ１−ａ２方向と、印刷対象物Ｓの挿入方向である矢印ｂ１−ｂ２方向とが直交する位置関係に設けられている。
【００２２】
取込み口１２の外側に位置するガイド板１３には、該取込み口１２を通過する印刷対象物Ｓ上に貼付された磁気ストライプ１５内の識別データＤを読み取るための磁気ヘッド部１４が設置されている。
【００２３】
この磁気ヘッド部１４は、ガイド板１３上に矢印ａ１−ａ２方向に延びるように形成された収納溝１６に、脱着自在とされるペン型部材２０内に設けられている。
このペン型部材２０は、ガイド板１３上に矢印ａ１−ａ２方向に形成された収納溝１６に脱着自在なペン把持部２１と、該ペン把持部２１の長さ方向に沿い形成された溝部２２と、溝部２２に沿いスライド自在な磁気ヘッド部１４とを有する構成であって、該溝部２２により位置決め機構２３が形成されている。
【００２４】
そして、このようなペン型部材２０では、図２及び図３に示されるように、ガイド板１３上の収納溝１６に取り付けられた状態で、作業者が、溝部２２に沿い磁気ヘッド部１４を矢印ａ１−ａ２方向にスライドさせることで、図６（Ａ）〜（Ｄ）に示されるような、位置が異なる様々な印刷対象物Ｓ上の磁気ストライプ１５を読み取ることができる。  
【００２５】
具体的には、印刷対象物Ｓが銀行で使用される通帳１０である場合に、図６（Ａ）〜（Ｄ）に示されるように、銀行毎に、磁気ストライプ１５が、プリンタ装置１０１への挿入方向（縦方向：矢印ｂ１−ｂ２方向）と直交する方向（横方向：矢印ａ１−ａ２方向）に対して異なる位置にある。
例えば、図６（Ａ）で示されるＡ銀行の通帳１０では、通帳１０の右縁から若干離れた位置に、プリンタ装置１０１への挿入方向（矢印ｂ１−ｂ２方向）に沿う磁気ストライプ１５（１５Ａ）があり、また、図６（Ｂ）で示されるＢ銀行の通帳１０では、通帳１０の右縁近傍に、プリンタ装置１０１への挿入方向（矢印ｂ１−ｂ２方向）に沿う磁気ストライプ１５（１５Ｂ）がある。
また、図６（Ｃ）で示されるＣ銀行の通帳１０では、通帳１０の左縁から若干離れた位置に、プリンタ装置１０１への挿入方向（矢印ｂ１−ｂ２方向）に沿う磁気ストライプ１５（１５Ｃ）があり、また、図６（Ｄ）で示されるＤ銀行の通帳１０では、通帳１０の左縁近傍に、プリンタ装置１０１への挿入方向（矢印ｂ１−ｂ２方向）に沿う磁気ストライプ１５（１５Ｄ）がある。
【００２６】
これにより、図６（Ａ）〜（Ｄ）に示される通帳１０では、図４〜図５に示されるように作業者が、ペン型部材２０上の磁気ヘッド部１４を手動操作により矢印ａ１−ａ２方向に適宜移動させることで、同方向（横方向）に位置が異なる複数種の通帳１０の磁気ストライプ１５（１５Ａ〜１５Ｄ）に対応させることができる。
すなわち、本実施形態のプリンタ装置１０１では、プリンタ本体１１の外側のペン型部材２０に、磁気ストライプ１５を読み取る磁気ヘッド部１４を矢印ａ１−ａ２方向に移動自在に設けたので、通帳１０毎に位置が異なる磁気ストライプ１５（１５Ａ〜１５Ｄ）を確実に読み取ることができ、磁気ストライプ１５に対応した取引結果の印字を行うことが可能となる。
【００２７】
一方、図６（Ｅ）及び（Ｆ）で示されるＥ銀行及びＦ銀行の通帳１０では、プリンタ装置１０１への挿入方向（矢印ｂ１−ｂ２方向）と直交する横方向（矢印ａ１−ａ２方向）に磁気ストライプ１５（１５Ｅ，１５Ｆ）があり、プリンタ本体１１内に磁気ヘッド部１４が設置された状態（図２、図３参照）において、当該磁気ストライプ１５を読み取ることができない。
このため、図６（Ｅ）及び（Ｆ）に示される通帳１０では、図４及び図５に示されるように作業者が、ガイド板１３上の収納溝１６からペン型部材２０を取り外した上で、該ペン型部材２０を把持しつつ、該ペン型部材２０の先端に位置する磁気ヘッド部１４により通帳１０上の磁気ストライプ１５（１５Ｅ，１５Ｆ）を読み取るようにする。
【００２８】
その後、当該通帳１０は、プリンタ装置１０１の取込み口１２に挿入された後、該プリンタ装置１０１にて、磁気ヘッド部１４により読み取られた磁気ストライプ１５（１５Ｅ，１５Ｆ）に基づき、対応した取引結果の印字処理を行う。
これにより、本発明のプリンタ装置１０１では、磁気ストライプ１５（１５Ａ〜１５Ｆ）の位置が異なる種々の通帳１０に応じて、ペン型部材２０上の磁気ヘッド部１４の位置を適宜移動させる（図６（Ａ）〜（Ｄ）の場合）、又はペン型部材２０をプリンタ本体１１から取り外して磁気ヘッド部１４を自由に移動させる（図６（Ｅ）（Ｆ）の場合）ことで、磁気ストライプ１５の位置が異なる複数種の通帳１０を取り扱うことができる。
なお、ペン型部材２０からプリンタ本体１１への識別データＤの転送は、ケーブルを通じて行っても良いし、無線による信号送信により行っても良い。
【００２９】
そして、以上詳細に説明した第１実施形態のプリンタ装置１０１では、磁気ストライプ１５の位置が異なる種々の通帳１０に応じて、ペン型部材２０上の磁気ヘッド部１４の位置を適宜移動させる（図２、図３及び図６（Ａ）〜（Ｄ）の場合）、又はペン型部材２０をプリンタ本体１１から取り外して磁気ヘッド部１４を自由に移動させる（図４、図５及び図６（Ｅ）（Ｆ）の場合）ことで、磁気ストライプ１５の位置が縦方向／横方向に異なる複数種の通帳１０を取り扱うことができる、との効果を奏する。
【００３０】
また、第１実施形態のプリンタ装置１０１では、プリンタ本体１１の取込み口１２の外側位置にてペン型部材２０上の磁気ヘッド部１４が移動自在に支持される構成であるので、作業者が、印刷対象物Ｓ上の識別データＤに対して磁気ヘッド部１４を手動で位置合わせすることが可能である。
すなわち、第１実施形態のプリンタ装置１０１では、取込み口１２の外側に位置する脱着自在なペン型部材２０と、該ペン型部材２０上の磁気ヘッド部１４を移動自在に支持する位置決め機構２３という簡易な構成により、磁気ストライプ１５の位置が縦方向／横方向に異なる様々な通帳１０上の識別データＤを読み取ることが可能となる。
【００３１】
なお、上記実施形態では、印刷対象物Ｓ上に設けられた磁気ストライプ１５内の識別データＤを、磁気ヘッド部１４により読み取るようにしたが、これに限定されず、識別データＤをバーコードとして示し、当該バーコードを、光学センサからなる光学ヘッド部で読み取るようにしても良い。
また、上記実施形態では、磁気ヘッド部１４で磁気ストライプ１５内の識別データＤを読み取るようにしたが、これに限定されず、磁気ヘッド部１４で磁気ストライプ１５内にデータを書き込むようにしても良い。このとき、磁気ヘッド部１４はＲ／Ｗ（Read-Write ）ヘッドを用いるようにする。
また、上記実施形態では、磁気ヘッド部１４で読み取った磁気ストライプ１５内の識別データＤに基づき、通帳１０に取引結果を印字したが、これに限定されず、別途、作業者が指定した情報に基づき印字処理を行っても良い。
【００３２】
本発明の第２実施形態に係るプリンタ装置１０２について、図７〜図１０を参照して説明する。
第２実施形態に係るプリンタ装置１０２が、第１実施形態に係るプリンタ装置１０１と構成を異にする点は、磁気ヘッド部３０の周辺構成である。
【００３３】
すなわち、第２実施形態のプリンタ装置１０２では、図７〜図８に示されるように、ガイド板１３に形成されかつプリンタ本体１１の取込み口１２に沿う矢印ａ１−ａ２方向に延びる溝部３１を有し、該溝部３１内に、磁気ヘッド部３０を支持するヘッド支持部材３２がスライド自在とされる位置決め機構３３（図８参照）が具備される。
【００３４】
より具体的には、この位置決め機構３３は、図８及び図９（Ａ）に示されるように、ガイド板１３に設置された矢印ａ１−ａ２方向に沿う溝部３１と、該溝部３１の下方位置にて同方向に沿うに配置されたスライドレール３４と、磁気ヘッド部３０を支持しかつ該スライドレール３４に沿ってスライド自在なヘッド支持部材３２と、を有する構成である。ここで、磁気ヘッド部３０を支持するヘッド支持部材３２は、スライドレール３４に沿って手動操作によりスライド自在とされる。
なお、磁気ヘッド部３０とヘッド支持部材３２とは、磁気ヘッド部３０の凸部３０Ａとヘッド支持部材３２の凹部３２Ａとを介して連結される。
【００３５】
そして、このような位置決め機構３３では、通帳１０の磁気ストライプ１５を読み取る磁気ヘッド部３０を矢印ａ１−ａ２方向に移動自在に設けたので、通帳１０毎に位置が異なる磁気ストライプ１５（図６（Ａ）〜（Ｄ）に示される磁気ストライプ１５）を確実に読み取ることができ、該磁気ストライプ１５に対応した取引結果の印字処理が可能となる。
【００３６】
一方、図６（Ｅ）及び（Ｆ）で示されるＥ銀行及びＦ銀行の通帳１０では、プリンタ装置１０１への挿入方向（矢印ｂ１−ｂ２方向）と直交する横方向（矢印ａ１−ａ２方向）に磁気ストライプ１５があり、プリンタ装置１０２の磁気ヘッド３０では、当該磁気ストライプ１５を読み取ることができない。
このため、プリンタ装置１０２における溝部３１内の空き空間３１Ａには、図７で示すような読取りペン４０を脱着自在に設けても良い。
この読取りペン４０は、印刷対象物Ｓ上の識別データＤを読み取る第２磁気ヘッド部４１をペン本体４２の先端部に有するものであって、作業者が溝部３１から取り外した状態で、図６（Ｅ）及び（Ｆ）で示される通帳１０の磁気ストライプ１５（１５Ｅ，１５Ｆ）に沿い、第２磁気ヘッド部４１を摺動させることで、該磁気ストライプ１５内の識別データＤを読取り可能とする。
【００３７】
また、プリンタ本体１１内の取込み口１２近傍には、図８で示すようなガイド板１３を通じて挿入された通帳１０をプリンタ印字部Ｐに案内するための搬送ローラ５０（図示例では、一対の搬送ローラ５０の間に通帳１０を挟んで所定方向に回転することにより、プリンタ本体１１内に取り込み、あるいは逆方向に回転することにより取り込みあるいは排出される）が設けられている。なお、前記搬送ローラ５０と印字部Ｐとの位置関係に応じて、これらの間での受け渡しのための搬送ローラ（図示略）を設けるようにしても良い。
この搬送ローラ５０は、駆動制御部Ｃから出力された制御信号に基づきその駆動モータ５１が回転制御される。 
【００３８】
駆動制御部Ｃの具体的な制御内容としては、図１０に示されるように、例えば、まず、通帳１０が取り込み口１２に挿入され、あるいはその近くにセットされたことが判別されたことを条件として、搬送ローラ５０を複数回にわたって、正回転、あるいは逆回転させて、磁気ストライプからの情報の読み取りに足る程度のストロークにわたる取り込み／排出を行わせる。この動作に伴い、磁気ヘッド部３０／４１を通じて識別データＤが読み取られたか否かを判断し（ステップＳ１）、ＹＥＳの場合に、駆動モータ５１を通じて通帳１０を内部に取り込み（ステップＳ２）、通帳１０に対して識別データＤに基づく取引結果の印字作業を行わせる（ステップＳ３）。
一方、ステップＳ１にて、磁気ヘッド部３０／４１を通じて識別データＤが読み取ることができないと判断された場合（ステップＳ１のＮＯの場合）には、駆動モータ５１を停止又は逆転して通帳１０の取り込みを拒否するとともに（ステップＳ４）、作業者に対して磁気ストライプ１５の読み取りができない旨の警告信号を出力する。
そして、表示手段（図示略）では、この警告信号に基づき、警告ランプ、警告音声等で作業者への報知を行う。例えば、表示手段にて、ヘッドの位置を調整して下さい、あるいは通帳の位置を確認して下さいなどのガイダンスを表示する。
【００３９】
そして、以上のように構成された第２実施形態のプリンタ装置１０２では、磁気ストライプ１５の位置が異なる種々の通帳１０に応じて、溝部３１内の磁気ヘッド部３０の位置を適宜移動させる（図６、図７及び図６（Ａ）〜（Ｄ）の場合）、又は読取りペン４０を溝部３１から取り外してその磁気ヘッド部４１を自由に移動させる（図６（Ｅ）（Ｆ）の場合）ことで、磁気ストライプ１５の位置が縦方向／横方向に異なる複数種の通帳１０を取り扱うことができる。
【００４０】
また、第２実施形態のプリンタ装置１０２では、プリンタ本体１１の取込み口１２の外側位置にて溝部３１内の磁気ヘッド部３０が移動自在に支持される、又は第２磁気ヘッド部４１を先端部に有する読取りペン４０が脱着自在に設けられる構成であるので、作業者が、印刷対象物Ｓ上の磁気ストライプ１５に対して、磁気ヘッド部３０／４１を手動で位置合わせすることが可能である。
すなわち、第２実施形態のプリンタ装置１０２では、溝部３１内で移動自在な磁気ヘッド部３０と、該凹状部３１から脱着自在な読取りペン４０という簡易な構成により、磁気ストライプ１５の位置が縦方向／横方向に異なる様々な通帳１０上の識別データＤを読み取ることが可能となる。
【００４１】
（変形例１）
なお、第２実施形態のプリンタ装置１０２では、図９（Ｂ）に示されるように、磁気ヘッド部３０を支持するヘッド支持部材３２を、手動操作によりスライドレール３４に沿ってスライド自在に設けたが、これに限定されず、ヘッド支持部材３２を駆動モータ３５により駆動してスライド移動させるようにしても良い。
【００４２】
（変形例２）
また、第２実施形態の位置決め機構３３では、磁気ヘッド部３０を支持するヘッド支持部材３２を、手動操作によりスライドレール３４に沿ってスライド自在に設けたが、これに限定されず、図１１のような位置決め機構６０を使用しても良い。
この位置決め機構６０は、ガイド板１３に形成された溝部３１内にて矢印ａ１−ａ２方向に延びるレール部材６１を有し、かつこのレール部材６１上に、同方向に間隔をおいて設置された複数の凹部６１Ａを有する構成である。
【００４３】
これら凹部６１Ａには、磁気ヘッド部３０の下部に形成された凸部３０Ａが脱着自在に結合されるようになっており、これにより該凹部６１Ａに磁気ヘッド部３０が選択的に設置されることで、該磁気ヘッド部３０が、矢印ａ１−ａ２方向の所定の位置への変更が可能となっている。この凸部３０Ａと凹部６１Ａとの脱着自在な嵌合は、凸部３０Ａ、およびまたはレール部材６１の凹部６１Ａに対応する個所をゴム、プラスチック等の弾性変形容易な材料により構成することにより、容易に実現することができる。
すなわち、位置決め機構６０においても、磁気ストライプ１５（１５Ａ〜１５Ｄ）の位置が異なる種々の通帳１０に応じて、レール部材６１上の磁気ヘッド部３０の嵌合により取り付け位置を適宜変更することで、複数種の通帳１０の取り扱い可能にすべく、磁気ヘッド３０を位置決めすることができる。
【００４４】
なお上記実施形態のヘッド部として、磁気ストライプのデータの読み取りのみを行うもの、あるいは、読み取り書き込みの両方を行うことができる磁気ヘッドを採用するが、単に磁気データを読み取る磁気ヘッド、あるいは、バーコード等の画像データを光学的に読み取る光学読み取り装置等、他の読み取りおよびまたは書き込みが可能なセンサであっても良い。すなわち、プリンタ本体によって処理される媒体に記録されたデータを少なくとも読み取ることのできるセンサに代えた場合にも本発明を適用することができる。
【００４５】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００４６】
本発明は、通帳上の磁気情報に基づき取引結果を印字するプリンタ装置及びプリント方法に関する。
【符号の説明】
【００４７】
１  プリンタ本体
２  取込み口
３  ガイド板
４  ヘッド部
１０  通帳
１１  プリンタ本体
１２  取込み口
１３  ガイド板
１４  磁気ヘッド部
１５  磁気ストライプ
２０  ペン型部材
２３  位置決め機構
３０  磁気ヘッド部
３１  溝部
３１Ａ  空き空間
３２  ヘッド支持部材
３３  位置決め機構
４０  読取りペン
４１  第２磁気ヘッド部
５０  搬送ローラ
６０  位置決め機構
６１Ａ  凹部
１００  プリンタ装置
１０１  プリンタ装置
１０２  プリンタ装置
Ｃ  駆動制御部
Ｓ  印刷対象物
Ｄ  識別データ
【図１】
2019087028.tif 000003
【図２】
2019087028.tif 000004
【図３】
2019087028.tif 000005
【図４】
2019087028.tif 000006
【図５】
2019087028.tif 000007
【図６】
2019087028.tif 000008
【図７】
2019087028.tif 000009
【図８】
2019087028.tif 000010
【図９】
2019087028.tif 000011
【図１０】
2019087028.tif 000012
【図１１】
2019087028.tif 000013